(57)【要約】【課題】既読判定の信頼性を高める。【解決手段】既読判定装置１００は、電子文書を取得する電子文書取得部１３２と、電子文書取得部１３２によって取得された電子文書から、速読支援アルゴリズムにしたがって強調対象部分を抽出するキーワード抽出部１３４と、電子文書取得部１３２によって取得された電子文書をモニタ１０６に表示させる際、キーワード抽出部１３４によって抽出された強調対象部分を強調して表示させる表示制御部１３６と、強調して表示された強調対象部分をユーザが見たことを検出する検出部１３８と、検出部１３８がキーワード抽出部１３４によって抽出された強調対象部分のうちの少なくともひとつをユーザが見たことを検出すると、電子文書取得部１３２によって取得された電子文書を、ユーザによって既に読まれた電子文書として登録する既読登録部１４０と、を有する。【選択図】図２
2011203880.tif 000002
【特許請求の範囲】
【請求項１】
電子文書を取得する文書取得部と、
前記文書取得部によって取得された電子文書から、所定のアルゴリズムにしたがって強調対象部分を抽出する抽出部と、
前記文書取得部によって取得された電子文書を所定の表示装置に表示させる際、前記抽出部によって抽出された強調対象部分を強調して表示させる表示制御部と、
強調して表示された強調対象部分をユーザが見たことを検出する検出部と、
前記検出部が前記抽出部によって抽出された強調対象部分のうちの少なくともひとつをユーザが見たことを検出すると、前記文書取得部によって取得された電子文書を、ユーザによって既に読まれた電子文書として登録する既読登録部と、を備えることを特徴とする既読判定装置。
【請求項２】
前記文書取得部によって取得された電子文書のうち前記表示装置に一時に表示される部分を表示部分と呼ぶとき、
前記表示制御部は、前記検出部が表示部分に含まれる強調対象部分のうちの少なくともひとつをユーザが見たことを検出すると、次の表示部分を順次表示させ、
前記既読登録部は、前記検出部が各表示部分に含まれる強調対象部分のうちの少なくともひとつをユーザが見たことを検出すると、前記文書取得部によって取得された電子文書を、ユーザによって既に読まれた電子文書として登録することを特徴とする請求項１に記載の既読判定装置。
【請求項３】
前記表示制御部は、前記検出部が表示部分に含まれる全ての強調対象部分をユーザが見たことを検出すると、既に表示された表示部分以外の次の表示部分を表示させることを特徴とする請求項２に記載の既読判定装置。
【請求項４】
前記表示制御部は、前記検出部が表示部分のうち次の表示部分では表示されなくなる部分に含まれる強調対象部分をユーザが見たことを検出していない場合、次の表示部分の表示を制限することを特徴とする請求項２に記載の既読判定装置。
【請求項５】
電子文書を取得するステップと、
取得された電子文書から、所定のアルゴリズムにしたがって強調対象部分を抽出するステップと、
取得された電子文書を所定の表示装置に表示させる際、抽出された強調対象部分を強調して表示させるステップと、
強調して表示された強調対象部分をユーザが見たことを検出するステップと、
抽出された強調対象部分のうちの少なくともひとつをユーザが見たことを検出すると、取得された電子文書を、ユーザによって既に読まれた電子文書として登録するステップと、を含むことを特徴とする既読判定方法。
【請求項６】
電子文書を取得する機能と、
取得された電子文書から、所定のアルゴリズムにしたがって強調対象部分を抽出する機能と、
取得された電子文書を所定の表示装置に表示させる際、抽出された強調対象部分を強調して表示させる機能と、
強調して表示された強調対象部分をユーザが見たことを検出する機能と、
抽出された強調対象部分のうちの少なくともひとつをユーザが見たことを検出すると、取得された電子文書を、ユーザによって既に読まれた電子文書として登録する機能と、をコンピュータに実現させることを特徴とするコンピュータプログラム。
【発明の詳細な説明】
【技術分野】
【０００１】
本発明は、既読判定装置および既読判定方法に関する。
【背景技術】
【０００２】
会社において、就業規則の変更や給与体系の改訂などの重要な情報が電子文書の形で回覧されることがある。また、そのような電子文書を読んだかどうかを社員ごとに管理することが一般的に行われている。
電子文書の回覧に関して、例えば特許文献１には電子文書回覧システムが記載されている。
【先行技術文献】
【特許文献】
【０００３】
【特許文献１】特開２００３−２５６３４６号公報
【発明の概要】
【発明が解決しようとする課題】
【０００４】
電子文書を読んだかどうかの判断について、従来では、電子文書を受け取った者が電子文書を「読んだ」後にその電子文書を読んだ旨を報告することが主流となっている。しかしながら、この判断方法では、電子文書を受け取った者が電子文書を読んでいない場合と、実際に読んだ場合とを区別することが難しい。
【０００５】
本発明はこうした課題に鑑みてなされたものであり、その目的は、既読判定の信頼性を高めることができる既読判定技術の提供にある。
【課題を解決するための手段】
【０００６】
本発明のある態様は既読判定装置に関する。この既読判定装置は、電子文書を取得する文書取得部と、文書取得部によって取得された電子文書から、所定のアルゴリズムにしたがって強調対象部分を抽出する抽出部と、文書取得部によって取得された電子文書を所定の表示装置に表示させる際、抽出部によって抽出された強調対象部分を強調して表示させる表示制御部と、強調して表示された強調対象部分をユーザが見たことを検出する検出部と、検出部が抽出部によって抽出された強調対象部分のうちの少なくともひとつをユーザが見たことを検出すると、文書取得部によって取得された電子文書を、ユーザによって既に読まれた電子文書として登録する既読登録部と、を備える。
【０００７】
この態様によると、検出部が抽出部によって抽出された強調対象部分のうちの少なくともひとつをユーザが見たことを検出することを条件のひとつとして、文書取得部によって取得された電子文書を、ユーザによって既に読まれた電子文書として登録することができる。
【０００８】
なお、以上の構成要素の任意の組み合わせや、本発明の構成要素や表現を装置、方法、システム、コンピュータプログラム、コンピュータプログラムを格納した記録媒体などの間で相互に置換したものもまた、本発明の態様として有効である。
【発明の効果】
【０００９】
本発明によれば、既読判定の信頼性を高めることができる。
【図面の簡単な説明】
【００１０】
【図１】社内で回覧される電子文書の一例を模式的に示す説明図である。
【図２】実施の形態に係る既読判定装置の機能および構成を示すブロック図である。
【図３】ページ遷移モードにおける電子文書表示画面の代表画面図である。
【図４】スクロールモードにおける電子文書表示画面の代表画面図である。
【図５】図２の既読テーブルの一例を示すデータ構造図である。
【図６】図２のバージョン記憶部の一例を示すデータ構造図である。
【図７】図２の表示確認部によって入力された電子文書の一部に対応する電子文書表示画面の代表画面図である。
【図８】図２の既読判定装置における一連の処理を示すフローチャートである。
【発明を実施するための形態】
【００１１】
以下、本発明を好適な実施の形態をもとに図面を参照しながら説明する。各図面に示される同一または同等の構成要素、部材、処理には、同一の符号を付するものとし、適宜重複した説明は省略する。
【００１２】
実施の形態に係る既読判定装置は、インターネット、イントラネットのなどのネットワークやＵＳＢメモリ、ＤＶＤ等の可搬記憶媒体から取得した電子文書をモニタに表示させる。その際、公知の速読支援アルゴリズムにより抽出したキーワードを強調して表示させる。既読判定装置は、強調して表示されるキーワードをユーザが全てクリックしたことを確認すると、その電子文書を既読として登録する。これにより、ユーザが少なくともキーワードには目を通したことが担保できるので、「既読」の信頼性が向上する。また、ユーザは速読支援アルゴリズムにより抽出されたキーワードを追うことを要請されるので、既読判定と同時にユーザの能力の向上にも資する。
【００１３】
図１は、社内で回覧される電子文書１０の一例を模式的に示す説明図である。電子文書１０は、テキスト形式やＰＤＦ形式の電子データである。図１に示される電子文書１０のような電子文書について、それがユーザによって既に読まれた（以下、単に既読と称する場合もある）かそうでないかを判定する必要がある場合がある。例えば、会社の規則変更が電子文書の形で社内で回覧される場合がそうである。あるいはまた、電子メールのメーラが、メーラのユーザのために既読、未読のフラグを立てる場合もそうである。実施の形態に係る既読判定装置１００はそのような既読判定を行う。
【００１４】
図２は、実施の形態に係る既読判定装置１００の機能および構成を示すブロック図である。ここに示す各ブロックは、ハードウエア的には、コンピュータのＣＰＵ（central processing unit）をはじめとする素子や機械装置で実現でき、ソフトウエア的にはコンピュータプログラム等によって実現されるが、ここでは、それらの連携によって実現される機能ブロックを描いている。したがって、これらの機能ブロックはハードウエア、ソフトウエアの組合せによっていろいろなかたちで実現できることは、本明細書に触れた当業者には理解されるところである。
【００１５】
既読判定装置１００は、通信部１１０と、受信制御部１２０と、送信制御部１３０と、記憶装置１４２と、を備える。受信制御部１２０は、電子文書取得部１３２と、キーワード抽出部１３４と、表示制御部１３６と、検出部１３８と、既読登録部１４０と、を含む。送信制御部１３０は、電子文書生成部１４４と、重要領域指定部１４６と、表示確認部１４８と、バージョン選択部１５２と、バージョン記憶部１５４と、を含む。
【００１６】
通信部１１０は、ネットワーク１０２を介して電子文書を受信し、記憶装置１４２に記憶する。通信部１１０は、ユーザによって生成された電子文書を送信制御部１３０から受け、ネットワーク１０２に送出する。
【００１７】
記憶装置１４２は、通信部１１０によって受信された電子文書を記憶する。記憶装置１４２はまた、可搬記憶媒体などの入力手段１０４から電子文書を取得して記憶する。記憶装置１４２は、後述する既読テーブル１５０を保持する。
【００１８】
既読判定装置１００のユーザは、記憶装置１４２に記憶されている電子文書のなかから読むべき電子文書を指定する。
電子文書取得部１３２は、ユーザによって指定された電子文書を記憶装置１４２から取得する。
キーワード抽出部１３４は、電子文書取得部１３２によって取得された電子文書から、公知のキーワード抽出アルゴリズム、例えば公知の速読支援アルゴリズムにしたがってキーワードを抽出する。また、キーワード抽出部１３４は、電子文書取得部１３２によって取得された電子文書に後述する重要領域が指定されている場合はその領域を抽出する。以下、キーワード抽出部１３４によって抽出されるキーワードや重要領域を強調対象部分と呼ぶ。
【００１９】
表示制御部１３６は、電子文書取得部１３２によって取得された電子文書をモニタ１０６に表示させる。この際、表示制御部１３６はキーワード抽出部１３４によって抽出された強調対象部分を強調して表示させる。ここで「強調して表示させる」ことは、電子文書の他の箇所とは異なる態様で強調対象部分を表示させること、好ましくは他の箇所よりもユーザが視認しやすい態様で表示させることであり、例えば、強調対象部分に下線を付したり、その部分を反転して表示させたり、網掛けを施したり、浮き彫り処理を施したり、矩形の囲いを施したり、その部分を点滅させたりすることであってもよい。
【００２０】
表示制御部１３６は、電子文書をページごとに表示させるページ遷移モードと、スクロールにより表示させるスクロールモードと、を有する。以下、各モードについて説明する。
【００２１】
（ページ遷移モード）
表示制御部１３６は、ページ遷移モードでは、電子文書取得部１３２によって取得された電子文書をページごとにモニタ１０６に表示させる。ここで電子文書の各ページは、モニタ１０６に一時に表示される部分である。表示制御部１３６は、モニタ１０６に表示されているページに含まれる強調対象部分を強調して表示させる。
【００２２】
表示制御部１３６は、検出部１３８がモニタ１０６に表示されているページに含まれる全ての強調対象部分をユーザが見たことを検出するまでは、ユーザからのページ進行指示の受け付けを制限する。表示制御部１３６は、検出部１３８がモニタ１０６に表示されているページに含まれる全ての強調対象部分をユーザが見たことを検出すると、ページ進行指示を受け付ける。表示制御部１３６は、ページ進行指示を受け付けると、次のページをモニタ１０６に表示させる。次のページは、既に表示されたページ以外のページである。表示制御部１３６は、モニタ１０６に表示されているページに強調対象部分が含まれない場合は、ページ進行指示の受け付けを制限しない。
【００２３】
以下、モニタ１０６のうち電子文書の表示に割り当てられた領域を電子文書表示領域と称す。また、電子文書表示領域に表示される画面を電子文書表示画面と称す。
【００２４】
図３は、ページ遷移モードにおける電子文書表示画面２００の代表画面図である。電子文書表示画面２００は、電子文書をページごとに表示する。電子文書表示画面２００は、網掛けによって強調された網掛け部分２０２を含む。網掛け部分２０２は、電子文書表示画面２００に表示されるページに含まれる強調対象部分に対応する。電子文書表示画面２００は、ページ進行ボタン２０４を含む。ページ進行ボタン２０４は、電子文書表示画面２００に表示されているページに含まれる網掛け部分２０２の全てがクリックされるまでは、操作を受け付けない。
【００２５】
図２に戻る。
（スクロールモード）
表示制御部１３６は、スクロールモードでは、電子文書取得部１３２によって取得された電子文書をスクロール形式でモニタ１０６に表示させる。表示制御部１３６は、スクロールモードでは、例えばマウスのホイールからの信号に応じて、電子文書表示領域に表示される電子文書の部分を一行ずつ前後させる。表示制御部１３６は、電子文書表示領域に表示される電子文書の部分に含まれる強調対象部分を強調して表示させる。
【００２６】
電子文書表示領域に表示される電子文書の部分のうち、マウスのホイールからの信号に応じてずれた場合に表示されなくなる行を消滅行と称す。消滅行は、電子文書表示領域に表示される電子文書の部分のうち、電子文書表示領域に表示される電子文書の次の部分では表示されなくなる部分である。
【００２７】
表示制御部１３６は、検出部１３８が消滅行に含まれる強調対象部分をユーザが見たことを検出していない場合、消滅行が表示されなくなるようなスクロール処理を制限する。例えば、電子文書表示画面において最上段の行に強調対象部分があり、検出部１３８がその強調対象部分をユーザが見たことを検出していない場合、表示制御部１３６は、ユーザからさらに下方向にスクロールするよう指示があってもその指示を受け付けない。
【００２８】
表示制御部１３６は、検出部１３８が消滅行に含まれる全ての強調対象部分をユーザが見たことを検出すると、消滅行から先の部分の表示を許す。
【００２９】
図４は、スクロールモードにおける電子文書表示画面３００の代表画面図である。電子文書表示画面３００は、電子文書をスクロール形式で表示する。表示制御部１３６は、スクロールバー３０４に対するユーザの操作によって電子文書表示画面３００に表示される電子文書の部分を移動させる。
電子文書表示画面３００は、網掛けによって強調された網掛け部分３０２、３０６を含む。網掛け部分３０２、３０６は、電子文書表示画面３００に表示される電子文書の部分に含まれる強調対象部分に対応する。
【００３０】
図４の電子文書表示画面３００において、最上段の網掛け部分３０６に対応する電子文書のキーワード「電気」をユーザが見たことが検出されていない場合、表示制御部１３６は、ユーザがスクロールバー３０４を下方向に動かす指示を出してもそれを受け付けない。
【００３１】
図２に戻る。
検出部１３８は、電子文書表示領域に表示される電子文書の部分に含まれる強調対象部分をユーザが見たことを検出すると、その旨を表示制御部１３６に通知する。ここでの検出の態様としては、ユーザがマウスを操作しモニタ１０６上でポインタを強調対象部分に当てるもしくは強調対象部分をクリックすることをもって、その強調対象部分をそのユーザが見たとして検出してもよい。あるいはまた、公知の眼球運動検出装置を使用してユーザの注視点分布と視線軌跡を解析することで、強調対象部分をユーザが見たことを検出してもよい。
検出部１３８は、電子文書に含まれる全ての強調対象部分をユーザが見たことを検出すると、その旨を既読登録部１４０に通知する。
検出部１３８は、表示制御部１３６のページ遷移モードでは、モニタ１０６に表示されているページに含まれる全ての強調対象部分をユーザが見たことを検出すると、その旨を表示制御部１３６に通知する。
【００３２】
既読登録部１４０は、検出部１３８が電子文書に含まれる全ての強調対象部分をユーザが見たことを検出すると、その電子文書を既読の電子文書として既読テーブル１５０に登録する。具体的には、既読登録部１４０は、既読テーブル１５０においてその電子文書に対応する既読フラグを立てる。
【００３３】
なお、既読登録部１４０は、検出部１３８が電子文書に含まれる全ての強調対象部分をユーザが見たことを検出し、かつ、ユーザからその電子文書を既読とするよう指示があると、その電子文書を既読の電子文書として既読テーブル１５０に登録してもよい。この場合、検出部１３８が電子文書に含まれる全ての強調対象部分をユーザが見たことを検出した後、ユーザは再度電子文書の内容を確認できる。したがって、例えば、一度キーワードだけを追って最後まで読んで、気になった箇所だけ戻って確認する、といった読み方をしているユーザにより好適である。
【００３４】
また、既読登録部１４０は、検出部１３８が電子文書に含まれる全ての強調対象部分をユーザが見たことを検出すると、ネットワーク１０２を介して外部の管理装置にその旨を通知してもよい。
【００３５】
図５は、既読テーブル１５０の一例を示すデータ構造図である。既読テーブル１５０は、電子文書のファイル名である電子文書名と、既読フラグと、読了時刻と、を対応付けて記憶する。既読フラグは、その電子文書が既読かそうでないかを示す指標であり、既読登録部１４０によって更新される。読了時刻は、その電子文書に既読フラグが立っている場合、その電子文書がユーザによって読まれた時刻に対応する時刻である。読了時刻は、例えば、既読登録部１４０によって既読フラグが立てられた時刻であってもよい。
【００３６】
図２に戻る。
電子文書生成部１４４は、ユーザによるキーボードなどの入力手段１０４からの入力を受け付け、電子文書を生成する。
重要領域指定部１４６は、電子文書生成部１４４によって生成された電子文書をモニタ１０６に表示させる。重要領域指定部１４６は、表示された電子文書に対する重要領域の指定を受け付ける。重要領域は、ユーザが送信対象者に見てもらいたい電子文書の重要部分などの、電子文書の作成者の意図を反映した部分である。
重要領域指定部１４６は、ユーザから電子文書の送信対象者リストの入力を受け付ける。重要領域指定部１４６はまた、送信対象者ごとに、送信すべき電子文書のバージョンを示す情報も受け付ける。電子文書のバージョンは、例えば電子文書に重要領域の情報を添付して送るバージョン１、および電子文書にそのような情報を添付せずに送るバージョン２である。重要領域指定部１４６は、電子文書生成部１４４によって生成された電子文書について、送信対象者とその送信対象者に対して指定されたバージョンとを対応付けてバージョン記憶部１５４に登録する。
【００３７】
図６は、バージョン記憶部１５４の一例を示すデータ構造図である。バージョン記憶部１５４は、電子文書生成部１４４で生成された電子文書ごとに、送信対象者と、電子文書のバージョンと、を対応づけて記憶する。
【００３８】
図２に戻る。表示確認部１４８は、重要領域指定部１４６で重要領域が指定された電子文書を電子文書取得部１３２へ入力する。これにより、ユーザは、電子文書生成部１４４で生成され重要領域指定部１４６で重要領域が指定された電子ファイルが、送信対象者側でどのように表示されるかを知ることができる。
【００３９】
図７は、表示確認部１４８によって入力された電子文書の一部に対応する電子文書表示画面４００の代表画面図である。電子文書表示画面４００は、電子文書をページごとに表示する。電子文書表示画面４００は、網掛けによって強調された網掛け部分４０２、４０４を含む。網掛け部分４０２、４０４は、電子文書表示画面４００に表示されるページに含まれる強調対象部分に対応する網掛け部分４０２と、重要領域指定部１４６で指定された重要領域に対応する網掛け部分４０４とを含む。
このように、重要領域を指定することにより、電子文書の作成者の意図をより反映した形での電子文書の既読判定が可能となる。
【００４０】
バージョン選択部１５２は、表示確認部１４８で確認された電子文書について、送信対象者ごとに、バージョン記憶部１５４に登録されているバージョンに基づいて送信すべき電子文書の形態を選択する。これにより、送信対象者ごとに既読判定の程度を制御することができる。
【００４１】
上述の実施の形態において、記憶装置の例は、ハードディスクやメモリである。また、本明細書の記載に基づき、各部を、図示しないＣＰＵや、インストールされたアプリケーションプログラムのモジュールや、システムプログラムのモジュールや、ハードディスクから読み出したデータの内容を一時的に記憶するメモリなどにより実現できることは本明細書に触れた当業者には理解されるところである。
【００４２】
以上の構成による既読判定装置１００の動作を説明する。図８は、既読判定装置１００における一連の処理を示すフローチャートである。ここでは、表示制御部１３６においてページ遷移モードが使用されているとする。電子文書取得部１３２は、記憶装置１４２から電子文書を取得する（Ｓ６０２）。キーワード抽出部１３４は、取得された電子文書から、速読支援アルゴリズムにしたがって強調対象部分を抽出する（Ｓ６０４）。表示制御部１３６は、取得された電子文書の１ページをモニタ１０６に表示させる際、抽出された強調対象部分を強調して表示させる（Ｓ６０６）。検出部１３８は、モニタ１０６に表示される電子文書の１ページに含まれる強調対象部分を、ユーザが見たことを検出する（Ｓ６０８）。検出部１３８は、モニタ１０６に表示される電子文書の１ページに含まれる全ての強調対象部分をユーザが見たことを検出するまで、検出処理を続行する（Ｓ６１０のＮ）。検出部１３８は、モニタ１０６に表示される電子文書の１ページに含まれる全ての強調対象部分をユーザが見たことを検出し（Ｓ６１０のＹ）、かつ、モニタ１０６に表示される電子文書の１ページが最後のページでない場合（Ｓ６１２のＮ）、モニタ１０６に表示させる電子文書のページを進め、処理をステップＳ６０６に戻す。モニタ１０６に表示される電子文書の１ページが最後のページである場合（Ｓ６１２のＹ）、既読登録部１４０は、既読テーブル１５０において電子文書に対応する既読フラグを立てる（Ｓ６１４）。
【００４３】
本実施の形態に係る既読判定装置１００によると、電子文書がモニタ１０６に表示される際、強調対象部分が強調され、その強調対象部分をユーザが見たことが検出される。さらに、強調対象部分をユーザが見たことが検出されることを条件のひとつとして、その電子文書が既読として登録される。したがって、ユーザは少なくとも強調対象部分に目を通さなければその電子文書を既読とできないので、既読判定装置１００による既読判定の信頼性が高まる。加えて、キーワード抽出部１３４において速読支援アルゴリズムを使用することにより、既読判定と同時にユーザに速読の訓練をさせることができる。
【００４４】
また、表示制御部１３６は、ページ遷移モードでは、モニタ１０６の電子文書表示領域に表示されるページに含まれる強調対象部分をユーザが見たことが検出されると、次のページをモニタ１０６に表示させる。表示制御部１３６は、スクロールモードでは、消滅行に含まれる強調対象部分をユーザが見たことが検出されると、さらなるスクロールを許可する。したがって、いずれのモードでも、強調対象部分を含む表示部分から次の表示部分に移る際に、ユーザの強調対象部分へのクリックや注視が求められる。その結果、強調対象部分が含まれるページを飛ばしたり、強調対象部分を読まずに速くスクロールすることが制限される。これにより、既読判定装置１００による既読判定の信頼性がより向上する。
【００４５】
また、表示制御部１３６は、ページ遷移モードでは、モニタ１０６の電子文書表示領域に表示されるページに含まれる全ての強調対象部分をユーザが見たことが検出されると、次のページをモニタ１０６に表示させる。したがって、電子文書の各ページについて、ユーザはそのページに含まれる全ての強調対象部分に目を通す必要がある。また、結果として、ユーザが電子文書に含まれる全ての強調対象部分に目を通した場合にその電子文書が既読とされる。これにより、各ページに対する既読判定の信頼性および電子文書全体に対する既読判定の信頼性がより向上する。
【００４６】
また、表示制御部１３６は、スクロールモードでは、消滅行に未だユーザが見たことが検出されていない強調対象部分が含まれる場合、さらなるスクロールを制限する。したがって、一度表示された強調対象部分がユーザによって見られないまま表示から消えることを防ぐことができる。これにより、既読判定の信頼性がより向上する。
【００４７】
以上、実施の形態に係る既読判定装置１００の構成と動作について説明した。この実施の形態は例示であり、その各構成要素や各処理の組み合わせにいろいろな変形例が可能なこと、またそうした変形例も本発明の範囲にあることは当業者に理解されるところである。
【００４８】
実施の形態では、表示制御部１３６は、ページ遷移モードでは、検出部１３８がモニタ１０６に表示されているページに含まれる全ての強調対象部分をユーザが見たことを検出するまでは、ユーザからのページ進行指示の受け付けを制限する場合について説明したが、これに限られない。例えば、表示制御部は、ページ遷移モードでは、検出部１３８がモニタ１０６に表示されているページに含まれる少なくともひとつの強調対象部分をユーザが見たことを検出するまでは、ユーザからのページ進行指示の受け付けを制限してもよい。この場合でもユーザが電子文書のページを飛ばすことが制限されるので、既読判定の信頼性が向上する。
【００４９】
実施の形態では、既読登録部１４０は、検出部１３８が電子文書に含まれる全ての強調対象部分をユーザが見たことを検出すると、その電子文書を既読の電子文書として既読テーブル１５０に登録する場合について説明したが、これに限られず、電子文書を既読として登録する条件として、検出部１３８が電子文書に含まれる少なくともひとつの強調対象部分をユーザが見たことを検出することを採用してもよい。この場合でも、ユーザがその少なくともひとつの強調対象部分に目を通さなければ電子文書は既読とされないので、既読判定の信頼性が向上する。
【００５０】
以上、実施の形態にもとづき本発明を説明したが、実施の形態は、本発明の原理、応用を示しているにすぎないことはいうまでもなく、実施の形態には、請求の範囲に規定された本発明の思想を逸脱しない範囲において、多くの変形例や配置の変更が可能であることはいうまでもない。
【符号の説明】
【００５１】
１００  既読判定装置、  １１０  通信部、  １２０  受信制御部、  １３０  送信制御部、  １３２  電子文書取得部、  １３４  キーワード抽出部、  １３６  表示制御部、  １３８  検出部、  １４０  既読登録部、  １４２  記憶装置、  １４４  電子文書生成部、  １４６  重要領域指定部、  １４８  表示確認部、  １５０  既読テーブル、  １５２  バージョン選択部、  １５４  バージョン記憶部。
【図１】
2011203880.tif 000003
【図２】
2011203880.tif 000004
【図３】
2011203880.tif 000005
【図４】
2011203880.tif 000006
【図５】
2011203880.tif 000007
【図６】
2011203880.tif 000008
【図７】
2011203880.tif 000009
【図８】
2011203880.tif 000010